(57)【要約】【課題】ＣＣＴＶシステムの主幹監視システムを落雷から保護でき、主幹監視システムのシステム停止を最小限に抑えることができるＣＣＴＶシステムを提供する。また、本発明の別の目的は、ＣＣＴＶシステムに使用される機器の損傷を最小限に抑えることにある。【解決手段】落雷監視器を設け、映像のレベルの変化若しくは音声のレベルの変化を監視し、落雷があったか否かを検出し、落雷があった場合には、そのサイトのカメラの系統を遮断するようにした。【選択図】図１
2010124053.tif 000002
【特許請求の範囲】
【請求項１】
落雷監視器を設け、映像のレベルの変化若しくは音声のレベルの変化を監視し、落雷があったか否かを検出し、落雷があった場合には、そのサイトのカメラの系統を遮断することを特徴とするＣＣＴＶシステム。
【発明の詳細な説明】
【技術分野】
【０００１】
本発明はＣＣＴＶシステム（カメラ監視システム）における落雷保護に関するものである。
【背景技術】
【０００２】
従来は、ＳＰＤ（ Surge Protection Device ）により落雷時、大地に落し、機器の保護を行っている。
しかし、従来の方法では、ＳＰＤの動作速度により完全に機器を保護することが困難であった。また、工事の接地の処理を十分に行う必要があった。また、特許文献１に記載のように、断路を形成し、定期的に（若しくは使用しない時に）サージを惹き起し易い回路から遮断するようにすることによって、さらなる対策としていた。
【０００３】
【特許文献１】特開平９−１６３５９６号公報
【発明の開示】
【発明が解決しようとする課題】
【０００４】
上述の従来技術では、落雷時のＣＣＴＶ（ Closed Circuit TV ）システムの保護対策が不十分であった。例えば、特許文献１記載の技術では、使用時に落雷が発生したときの対策の記載が無い。
本発明は、上記のような問題に鑑み、監視カメラシステム等のＣＣＴＶシステムにおける主幹監視システムを落雷から保護でき、主幹監視システムのシステム停止を最小限に抑えることができるＣＣＴＶシステムを提供することを目的とする。
また、本発明の別の目的は、ＣＣＴＶシステムに使用される機器の損傷を最小限に抑えることにある。
【課題を解決するための手段】
【０００５】
上記の目的を達成するために、本発明のＣＣＴＶシステムは、落雷監視器を設け、映像のレベルの変化を監視し、落雷があったか否かを検出し、落雷があった場合には、そのサイトのカメラの系統を遮断するものである。
また、本発明のＣＣＴＶシステムは、落雷監視器を設け、音声のレベルの変化を監視し、落雷があったか否かを検出し、落雷があった場合には、そのサイトのカメラの系統を遮断するものである。
【０００６】
上記本発明のＣＣＴＶシステムは、落雷監視器に加え、さらに直雷撃にも耐えうる高防護のＳＰＤを備える落雷監視ゾーン部と、それぞれのカメラサイトからの映像データを主幹監視システムに接続する伝送回線を落雷監視ゾーン部に接続するように切替える切替部を設け、監視カメラのサイト毎に降雨の状態を、気象情報等他の情報提供手段から一般ネットワーク回線等で入手し、降雨状態にあると判断した当該カメラサイトを落雷監視ゾーンで監視し、好ましくは、その監視情報を記録するものである。
また、好ましくは、本発明のＣＣＴＶシステムは、落雷監視器を設け、無線信号の受信状態を監視し、降雨時に無線信号の伝送状態が悪くなることを利用して、降雨状態であると判断した場合には、落雷の恐れがあるとして、当該カメラサイトを落雷監視ゾーン部で監視し、好ましくは、その監視情報を記録するものである。
【０００７】
さらに、落雷監視ゾーン部と落雷監視器とを接続する伝送回線を設け、監視ゾーン部において監視中のカメラサイトについて、落雷監視器が落雷の虞がないと判断した場合には、切替部を制御して主幹監視システムに再度接続するように切替部を切替えるものである。より好ましくは、落雷監視ゾーン部と落雷監視器とを接続する伝送回線は、光伝送回線である。
【発明の効果】
【０００８】
本発明によれば、落雷において損傷しないように、落雷が発生しそうなカメラサイトを遮断するため、主幹監視システムを落雷より保護できる。さらに、主幹監視システムの機器を保護することによりシステム停止を最小限に抑えられる。
また、本発明によれば、落雷が発生しそうなカメラサイトと主幹監視システムとを接続する伝送線路をより落雷に強いＳＰＤを備える落雷監視ゾーン部に接続するため、落雷時の主幹監視システムの機器損傷を最小限に抑えることができる。
【発明を実施するための最良の形態】
【０００９】
以下、添付図面を参照しながら本発明の実施形態を詳細に説明する。なお、各図の説明において、共通な機能を有する構成要素には同一の参照番号を付し、できるだけ説明の重複を避ける。
【００１０】
図１によって、本発明の主幹監視システムを説明する。図１は、本発明の一実施例の監視システムの一実施例の構成を示すブロック図である。１００は本発明の主幹監視システム、１５１は監視カメラ、１５２は監視カメラ１５１近傍に設置されたマイク、１５３は監視カメラ１５１を制御するためのカメラ制御部、１５４は監視カメラ１５１から出力される映像データ線、１５５はカメラ電源供給線、１５６はカメラ制御信号線、１６１は監視カメラ、１６２は監視カメラ１６１近傍に設置されたマイク、１６３は監視カメラ１６１を制御するためのカメラ制御部、１６４は監視カメラ１６１から出力される映像データ線、１６５はカメラ電源供給線、１６６はカメラ制御信号線、１７１は監視カメラ、１７２は監視カメラ１７１近傍に設置されたマイク、１７３は監視カメラ１７１を制御するためのカメラ制御部、１７４は監視カメラ１７１から出力される映像データ線、１７５はカメラ電源供給線、１７６はカメラ制御信号線、１８１は耐雷トランス、１８２は遮断器、１８３は主幹監視システム１００にＡＣ１００Ｖの電源を供給する無停電電源装置である。また、主幹監視システム１００において、１０１は同軸多重切替器、１０２は落雷監視器、１０３は大容量のデータを記録するための記憶装置、１０４はモニタ、１１１、１２１、及び１３１はリレー回路である。
なお、監視カメラ１５１、１６１、１７１は、例えば、パン、チルト、ズーム倍率変更機能を備える雲台カメラである。
【００１１】
図１において、監視カメラ１５１、１６１、及び１７１は、それぞれ、視野内を撮像して、取得した映像データを映像データ線１５４、１６４、若しくは１７４を介して、それぞれのカメラ制御部１５３、１６３、若しくは１７４に出力する。また、マイク１５２、１６２、及び１７２は、それぞれ入力される音を音声の電気信号（音声データ）に変換して、それぞれのカメラ制御部１５３、１６３、若しくは１７４に出力する。
【００１２】
カメラ制御部１５３、１６３、及び１７３は、それぞれ、監視カメラ１５１、１６１、若しくは１７１に、同軸ケーブル１５７、１６７、若しくは１７７から供給される電力をカメラ電源供給線１５５、１６５、若しくは１７５を介して供給する。また、カメラ制御部１５３、１６３、及び１７３は、それぞれ、監視カメラ１５１、１６１、若しくは１７１に、同軸ケーブル１５７、１６７、若しくは１７７から伝送された制御指示信号に従って、カメラを制御するための制御信号をカメラ制御信号線１５６、１６６、若しくは１７６を介して出力する。
またさらに、カメラ制御部１５３、１６３、及び１７３は、それぞれ、監視カメラ１５１、１６１、若しくは１７１から入力された映像データ、及び、マイク１５２、１６２、若しくは１７２から入力された音声の電気信号を、同軸ケーブル１５７、１６７、若しくは１７７を介して、主幹監視システムに送信する。
なお、カメラ制御部１５３、１６３、及び１７３は、例えば、入力された映像データと音声データとを多重化した多重信号として、同軸ケーブル１５７、１６７、及び１７７に出力する。
なお、監視カメラ１５１、マイク１５２、カメラ制御部１５３、映像データ線１５４、カメラ電源供給線１５５、カメラ制御信号線１５６、及び同軸ケーブル１５７をカメラサイト１５０と称する。同様に、監視カメラ１６１、マイク１６２、カメラ制御部１６３、映像データ線１６４、カメラ電源供給線１６５、カメラ制御信号線１６６、及び同軸ケーブル１６７をカメラサイト１６０と称し、監視カメラ１７１、マイク１７２、カメラ制御部１７３、映像データ線１７４、カメラ電源供給線１７５、カメラ制御信号線１７６、及び同軸ケーブル１７７をカメラサイト１７０と称する。
【００１３】
耐雷トランス１８１は、電力供給源からＡＣ電源１００Ｖを取得して、所定量の電力を遮断器１８２を介して無停電電源装置１８３内の所定の機器に供給する。また、耐雷トランス１８１は、入力される電力供給源が、落雷等による高い値の電圧を検出した場合には、落雷があったと判断して、遮断器１８２を開放し、無停電電源装置１８３に供給する電力を遮断する。
【００１４】
リレー回路１１１は、カメラサイト１５０から同軸ケーブル１５７を介して映像と音声の多重信号を入力され、入力された多重信号を同軸多重切換器１０１に出力する。同様に、リレー回路１２１は、カメラサイト１６０から同軸ケーブル１６７を介して映像と音声の多重信号を入力され、入力された多重信号を同軸多重切換器１０１に出力し、リレー回路１３１は、カメラサイト１７０から同軸ケーブル１７７を介して映像と音声の多重信号を入力され、入力された多重信号を同軸多重切換器１０１に出力する。
【００１５】
同軸多重切換器１０１は、リレー回路１１１、１２１、及び１３１から入力される映像と音声の多重信号を、音声と映像とに分離し、さらに所定の順序で切替えて、モニタ１０４に出力する。モニタ１０４は、例えば、各カメラサイトからの映像を表示する。表示は、カメラサイト毎に切替えて１画面ずつ表示する他、例えば、４画面表示等、画面分割された表示でも良い。
また、同軸多重切換器１０１は、音声と映像とに分離したデータを、それぞれ、記憶装置１０３と落雷監視器１０２に出力する。
記憶装置１０３は、入力された音声データと映像データとを関連付けて記録する。なお、記憶装置１０３に入力される信号は、同軸多重切換器１０１で多重信号のままでも良い。
【００１６】
落雷監視器１０２は、各リレー回路１１１、１２１、及び１３１にＡＣ１００Ｖの電力を供給し、各リレー回路１１１、１２１、及び１３１は、供給された電力によって閉状態となって、同軸ケーブル１５７、１６７、１７７それぞれからの入力信号を同軸多重切換器１０１に伝達している。即ち、落雷監視器１０２からのＡＣ電力の供給が遮断された時は開状態となり、同軸多重切換器１０１に当該リレー回路に入力される多重信号が遮断される。
これを利用して、落雷監視器１０２は、同軸多重切換器１０１から入力された映像データから、落雷の影響を受けたデータであるか否かを判定し、落雷の影響を受けたデータであった場合には、当該データが入力されたリレー回路への電力供給を停止する。
【００１７】
また、図１の別の実施例によれば、落雷監視器１０２は、音声データを監視し、例えば、音量が所定の大きさを超えた場合には、雷音と判定し、当該音声データが入力されたカメラサイトに接続するリレー回路への電力供給を停止する。
また、落雷監視器１０２は、音声データと映像データの両方を監視し、どちらかのデータに基づいて落雷と判定した場合には、当該カメラサイトに接続するリレー回路への電力供給を停止するようにしても良い。
また、図１には図示していないが、インターネット、ＴＶニュース等から得た天候情報に基づいて、落雷あり若しくは落雷が予報された当該カメラサイトに接続するリレー回路への電力供給を停止するようにしても良い。
【００１８】
次に、図２によって、本発明の主幹監視システムを説明する。図２は、本発明の一実施例の監視システムの一実施例の構成を示すブロック図である。２００は主幹監視システム、２０２は主幹監視システムの落雷監視器、２２０は落雷監視ゾーン部である。また、落雷監視ゾーン部２２０において、２２１は高信頼度のＳＰＤ（ Surge Protection Device ）、２２２は小容量のデータを記録するための記憶装置、２２３はモニタ、２２４と２２５は光伝送装置である。
図２の実施例の構成は、図１の実施例の構成に対して、高信頼度のＳＰＤを備えた落雷監視ゾーン部２２０を新たに設け、落雷が発生した若しくは落雷の発生が予想されるカメラサイトを主幹監視システムから外し、高信頼度のＳＰＤを入力段に設けた落雷監視ゾーン部２２０で受信するようにしたものである。なお、ＳＰＤ２２１は、例えば、バリスタタイプとアレスタタイプとを組合せた、続流遮断性能が高い、高性能の避雷器である。
【００１９】
図２において、耐雷トランス１８１は、所定量の電力を、遮断器１８２と無停電電源装置１８３を介して主幹監視システム２００に供給すると共に、落雷監視ゾーン部２２０内の所定の機器に供給する。なお、図２の実施例では、各リレー回路１１１、１２１、及び１３１への電源供給は無停電電源装置１８３から供給されているとする。
【００２０】
図２の実施例において、落雷が発生するカメラサイトをカメラサイト１５０として、以下説明する。
主幹システム２００の管理者は、予め一般ネットワーク回線等の手段（図示しない）によって、各カメラサイト１５０、１６０、及び１７０近傍の気象情報及び気象予報情報を入手できるようにしている。そして、管理者は、落雷の発生しているカメラサイト若しくはまもなく落雷は発生すると予想されたカメラサイトがある場合には、落雷監視器２０２を図示しない入力機器を操作して、当該カメラサイト１５０に接続されるリレー回路１１１の接続を、落雷監視ゾーン部２２０に接続するように切替える。
【００２１】
落雷が発生して、落雷監視ゾーン部２２０に多重信号が入力されるようにリレー回路１１１を接続されたカメラサイト１５０から、高電圧が同軸ケーブルを伝わって、主幹監視システム２００のリレー回路に入力されても、リレー回路１１１の接続が落雷監視ゾーン部２２０に入力するようにされている。
従って、落雷が無い場合においても、落雷がある場合においても、カメラサイト１５０から出力された多重信号が、リレー回路１１１を介して落雷監視ゾーン部２２０に入力される。
多重落雷監視ゾーン部２２０に入力される信号は、ＳＰＤ２２１に入力され、避雷性が高いため、機器の故障や劣化等は起き難く、かつ、主幹監視システム２００には落雷の影響が無い。
さらに、この多重信号は、ＳＰＤ２２１を介して記憶装置２２２に入力する。記憶装置２２２は入力された多重信号を音声データと映像データに分離して記録し、さらに、モニタ２２３に出力する。モニタ２２３は、映像データを画面に表示する。
【００２２】
さらに記憶装置２２２は、音声データと映像データを光伝送装置２２４に出力する。光伝送装置２２４は、入力される音声データと映像データとを光信号に変換して光伝送路を介して光伝送装置２２４に送信する。光伝送装置２２４は、受信した光信号を音声データと映像データに変換して、主幹監視システム２００の落雷監視器２０２に出力する。
落雷監視器２０２は、図１で説明した実施例と同様に、落雷監視ゾーン部２２０から伝送された映像データ若しくは音声データの少なくとも１つによって、落雷が発生したか否かを判定する。そして落雷監視器２０２は、落雷の恐れが無いと判定した場合には、当該リレー回路１１１の接続を主幹監視システム２００側に切替える。これによって、再び、カメラサイト１５０の多重信号は、同軸多重切替器１０１に入力される。
【００２３】
なお、図２の実施例において、落雷監視ゾーン部２２０に入力され、光伝送路等の伝送回線を介して伝送された音声データと映像データとは、主幹監視システム２００の落雷監視器２０２に入力する。従って、落雷監視器２０２から、これらの音声データと映像データとを記憶装置１０３に出力して、記憶装置１０３に保存することが可能になるため、落雷若しくは落雷の虞のあるカメラサイト１５０からのデータが欠落しない。
【００２４】
即ち、図２の実施例によれば、特に、大容量のデータが記録された記憶装置は、落雷から保護されているため、信頼性が高いＣＣＴＶシステムが実現できる。
なお、上述の実施例では、カメラサイトの数が３つの実施例であるが、この数に限らないことは勿論であるし。１つのカメラサイトに複数台の監視カメラやマイクがあっても良い。さらに、監視カメラは雲台カメラでなくても良いし、雲台カメラであっても、パン動作機能、チルト動作機能、ズーム倍率変更機能のすべてを含む必要はないことは明らかである。
【図面の簡単な説明】
【００２５】
【図１】本発明の一実施例の監視システムの一実施例の構成を示すブロック図。
【図２】本発明の一実施例の監視システムの一実施例の構成を示すブロック図。
【符号の説明】
【００２６】
１００：主幹監視システム、  １０１：同軸多重切替器、  １０２：落雷監視器、  １０３：記憶装置、  １０４：モニタ、  １１１、１２１、１３１：リレー回路、  １５１：監視カメラ、  １５２：マイク、  １５３：カメラ制御部、  １５４：映像データ線、  １５５：カメラ電源供給線、  １５６：カメラ制御信号線、  １５７：同軸ケーブル、  １６１：監視カメラ、  １６２：マイク、  １６３：カメラ制御部、  １６４：映像データ線、  １６５：カメラ電源供給線、  １６６：カメラ制御信号線、  １６７：同軸ケーブル、  １７１：監視カメラ、  １７２：マイク、  １７３：カメラ制御部、  １７４：映像データ線、  １７５：カメラ電源供給線、  １７６：カメラ制御信号線、  １７７：同軸ケーブル、  １８１：耐雷トランス、  １８２：遮断器、  １８３：無停電電源装置。
【図１】
2010124053.tif 000003
【図２】
2010124053.tif 000004